(57)【要約】【課題】  家具等を確実に保持する。【解決手段】  柔軟性の樹脂からなり、表裏に摩擦係合面１１，１３を備えたシート状の本体３及び該本体３上に立設された壁部５，７を備え、該壁部５，７の変位を規制するための芯材９を設けたことを特徴とする。従って、壁部５，７が家具等に当接すると共に前記壁部５，７の変位を芯材によって規制することによって、家具等の本体３に対するずれを抑え、家具等の横移動を確実に抑制することができる。【選択図】  図１
2006305038.tif 000002
【特許請求の範囲】
【請求項１】
柔軟性の樹脂からなり、表裏に摩擦係合面を備えたシート状の本体及び該本体上に立設された壁部を備え、該壁部の本体に対する変位を規制するための芯材を設けた
ことを特徴とする樹脂シート。
【請求項２】
請求項１記載の樹脂シートであって、
前記芯材は、基部及び該基部に立設された立上部を備え、少なくとも前記立上部が前記壁部に埋設配置された
ことを特徴とする樹脂シート。
【請求項３】
請求項２記載の樹脂シートであって、
前記芯材は、前記立上部が前記基部の中間部に配置され、
前記基部の一側を前記本体に埋設配置する共に同他側を前記壁部外に突出させた
ことを特徴とする樹脂シート。
【発明の詳細な説明】
【技術分野】
【０００１】
本発明は、家具や家電等の設置に用いられ、地震時の移動等を防止する樹脂シートに関する。
【背景技術】
【０００２】
従来のこの種の樹脂シートとしては、例えば柔軟性及び粘着性を有した樹脂からなるものがある。この樹脂シートは、家具等と床面との間に介設され、地震等に備えられる。
【０００３】
従って、地震時には、家具等が樹脂シート上に保持され、横揺れに対して家具等が床面を滑るようにして大きく移動することを抑制することができる。
【０００４】
しかしながら、上記従来の樹脂シートでは、その粘着性及び弾粘性による表面の摩擦係合のみによって家具等を保持するため、端面の浮き等により家具等移動阻止に限界があった。
【０００５】
【非特許文献１】http://www.pro-7.jp/about/intro.html
【発明の開示】
【発明が解決しようとする課題】
【０００６】
解決しようとする問題点は、家具等の移動阻止に限界がある点にある。
【課題を解決するための手段】
【０００７】
本発明は、家具等を確実に保持するため、柔軟性の樹脂からなり、表裏に摩擦係合面を備えたシート状の本体及び該本体上に立設された壁部を備え、該壁部の変位を規制するための芯材を設けたことを最も主要な特徴とする。
【発明の効果】
【０００８】
本発明の樹脂シートは、シート状の本体及び該本体上に立設された壁部を備え、該壁部の変位を規制するための芯材を設けたため、本体上に乗った家具等の側部が壁部に当接すると共に前記壁部の変位を芯材によって規制することによって、家具等の本体に対するずれを抑え、地震時等に家具等の移動を確実に阻止することができる。
【０００９】
前記芯材が、基部及び該基部に立設された立上部を備え、少なくとも前記立上部が前記壁部に埋設配置された場合は、より確実に壁部の変位を規制することができ、より確実に家具等の本体に対するずれを抑えることができる。
【００１０】
前記芯材が、前記立上部が前記基部の中間部に配置され、前記基部の一側を前記本体に埋設配置する共に同他側を前記壁部外に突出させた場合は、より確実に壁部の変位を規制することができ、より確実に家具等の本体に対するずれを抑えることができる。
【発明を実施するための最良の形態】
【００１１】
家具等を確実に保持するという目的を、壁部及びその変位を規制する芯材を設けることにより実現した。
【実施例１】
【００１２】
図１〜図４は、本発明の実施例１に係る樹脂シートを示し、図１は樹脂シートの斜視図、図２は図１の矢印IIにおける側面図、図３は図１の矢印IIIにおける樹脂シートの側面図、図４は図１に示す樹脂シートの底面図である。
【００１３】
図１〜図４のように、樹脂シート１は、本体３と壁部５，７と芯材９とを備えている。
【００１４】
前記本体３は、例えばスチレン系エラストマーやウレタン系エラストマー等の柔軟性及び粘着性を備えた合成樹脂からなり、矩形のシート状に形成されている。前記本体３の表裏面は、その粘着性（摩擦抵抗）による上下摩擦係合面１１，１３となっている。ただし、上下摩擦係合面は、本体の粘着性によらず、表裏面の粗度の調整や表裏面上に本体とは別の粘着層を形成することよって形成することも可能である。前記粘着層によって上下摩擦係合面を形成する場合は、本体全体が粘着性を備えていなくても良く、材質選択の幅を拡げることが可能となる。
【００１５】
前記壁部５，７は、本体３上に、該本体３と同材質で一体に立設されている。壁部５，７は、本体３の相互に隣接する二つの縁部に沿って設けられている。両壁部５，７は、一体となって角部１５を形成している。このため、壁部５，７は、相互に補強関係にあり、その強度を向上している。前記壁部５，７の厚みは、本体３の厚みとほぼ同一となっている。ただし、壁部の厚みは、本体３の厚みよりも厚く形成することも可能であり、壁部の高さとの関係等に応じて適宜設定される。
【００１６】
前記芯材９は、ステンレス等の金属のインサート成形又はポリアミド等の樹脂の二色成形によって設けられている。前記芯材９は、長尺状の板材を中間部で折り曲げた状態に形成され、ほぼＬ字状となっている。前記芯材９の一端側は基部１７となり、同他端側は立上部１９となっている。すなわち、芯材９は、前記基部１７の一端から立上部１９が一体に立設されている。前記芯材９は、基部１７が本体３の下摩擦係合面１３に、立上部１９が壁部５，７の外面に埋設配置されている。基部１７の外面は本体３の下摩擦係合面１３と面一となっており、立上部１９の外面は壁部５，７の外面と面一となっている。この芯材９は、壁部５，７に対して横方向に所定間隔で複数配置され、壁部５，７の変位を全体として規制するようになっている。
【００１７】
次に、前記樹脂シート１の作用について説明する。
【００１８】
前記樹脂シート１を用いて家具等を設置する際には、家具等の四隅又は各脚部の位置に合わせて予め床面等の複数箇所に樹脂シート１を配置するか、家具等の四隅又は各脚部に樹脂シート１を装着する。この配置又は装着は、下摩擦係合面１３又は上摩擦係合面１１の粘着性による密着によって行われる。
【００１９】
前記家具等は、その四隅又は各脚部を前記壁部５，７に沿うようにして樹脂シート１上に載置させるか、予め樹脂シート１を装着した家具等を床面等へ設置する。
【００２０】
これにより、樹脂シート１は、家具等と床面等との間に配置され、本体３の上下摩擦係合面１１，１３が家具等と床面とにそれぞれ粘着性により密着すると共に摩擦係合する。また、壁部５，７の内面も粘着性によって家具等に密着すると共に摩擦係合する。この状態で芯材９の基部１７上に家具等が載って荷重が作用する。
【００２１】
従って、樹脂シート１は家具等を確実に保持し、該樹脂シート１を介して家具等を床面等に対し設置させることができる。
【００２２】
一方、地震時等には、家具等が樹脂シート１の上下摩擦係合面１１，１３の摩擦係合力より支えられ、横移動が規制される。このとき、樹脂シート１は、横移動方向の力に対して自身の粘性抵抗により柔軟に対応することができる。
【００２３】
また、樹脂シート１は、壁部５，７が家具等に当接し、且つ壁部５，７の変位を芯材９が規制することによって、家具等の本体３に対するずれを抑え、家具等を本体３上に確実に保持することができる。従って、床面等に対して家具等が横移動するのを確実に抑制することができる。
【００２４】
すなわち、家具等が芯材９の基部１７に乗ることにより、芯材９そのものの倒れが規制される。この状態で、芯材９の立上部１９が家具等を横方向から支持することになり、芯材９を含めた壁部５の全体で横移動を抑制することができる。
【００２５】
しかも、芯材９の立上部１９が家具等の横移動を支えるとき、立上部１９が受ける力によって芯材９が回転しようとする。このため、本体３の上摩擦係合面１１が基部１７の部分で家具等の底部に押し付けられる。従って、上摩擦係合面１１と家具等との粘着性による摩擦係合力が向上すると共に、芯材９と家具等との位置関係を維持して、家具等の横移動を確実に抑制することができる。
【００２６】
さらに、樹脂シート１は、粘着性及び柔軟性によって振動吸収機能が高く、家具等の横移動を抑制しながら振動を減衰し、家具等を早期に安定させることができる。
【００２７】
また、樹脂シート１では、角部１５によって壁部５，７が連続しているため、壁部５，７の協働により、家具等の横移動をより確実に抑制することができる。
【００２８】
本実施例では、芯材９を金属のインサート成形又は樹脂の二色成形によって形成しているため、芯材９の埋設配置を容易に且つ確実に行わせることができ、芯材９を備えた樹脂シート１を容易に且つ確実に形成することができる。
【実施例２】
【００２９】
図５，図６は、本発明の実施例２に係る樹脂シートを示し、図５は樹脂シートの側面図、図６は図５の樹脂シートに用いられている芯材の側面図である。なお、実施例１と対応する構成部分には、同一符号又は同一符号にＡを付して説明する。
【００３０】
本実施例の樹脂シート１Ａは、実施例１の芯材９に代えて芯材９Ａを設けたものである。前記芯材９Ａは、立上部１９が基部１７Ａの中間部に配置され、ほぼＴ字状に形成されている。この芯材９Ａは、前記基部１７Ａの一側１７Ａａが本体３に埋設配置され、同他側１７Ａｂが壁部５，７外に突出されている。
【００３１】
本実施例では、上記実施例１と同様の作用効果を奏することができるのに加えて、基部１７Ａの一側１７Ａａが壁部５，７の倒れ方向の力を支えることができる。すなわち、地震時等に家具等からの力を芯材９Ａの立上部１９で受けると、芯材９Ａが回転しようとするが、基部１７Ａの他側１７Ａｂが床面等に支えられる。従って、樹脂シート１Ａでは、壁部５，７の倒れを確実に抑えることにより、家具等の横移動をより確実に抑制することができる。
【実施例３】
【００３２】
図７は、本発明の実施例３に係る樹脂シートを示す斜視図である。なお、上記実施例と対応する構成部分には、同一符号又は同一符号にＢを付して説明する。
【００３３】
本実施例の樹脂シート１Ｂは、矩形シート状の本体３Ｂに、その中間部を横切る壁部２３を一体に立設したものである。従って、樹脂シート１Ｂは、ほぼＴ字状に形成され、壁部２３を挟んだ本体３Ｂの両側３Ｂａ，３Ｂｂにそれぞれ上摩擦係合面２５，２７が形成されている。
【００３４】
前記樹脂シート１Ｂには、実施例２の芯材９Ａが設けられている。すなわち、心材９Ａは、立上部１９が前記壁部２３内に埋設配置されると共に、基部１７Ａの両側１７Ａａ、１７Ａｂがそれぞれ前記本体３Ｂの両側３Ｂａ，３Ｂｂの下摩擦係合面１３Ｂに埋設配置されている。
【００３５】
本実施例では、上記実施例２と同様の作用効果を奏することができるのに加え、本体３Ｂの両側３Ｂａ，３Ｂｂに別々の家具等を載置させることができる。従って、樹脂シート１Ｂでは、隣接した家具等を同時に保持し、床面等に対して設置させることができる。従って、例えば、家具等の隣接間が狭い場合であっても、樹脂シート１Ｂを確実に配置させることができる。
【実施例４】
【００３６】
図８、図９は、本発明の実施例４に係る樹脂シートを示し、図８は樹脂シートの斜視図、図９は樹脂シートの使用状態を示す平面図である。なお、上記実施例と対応する構成部分には、同一符号又は同一符号にＣを付して説明する。
【００３７】
本実施例の樹脂シート１Ｃは、脚部を備えた家具等に対して用いられるものである。すなわち、樹脂シート１Ｃは、矩形シート状の本体３Ｃの縁部全周に壁部２９，３１，３３，３５を立設し、家具等の脚部に対して嵌合させるための嵌合部３７を形成したものである。
【００３８】
前記樹脂シート１Ｃには、上記実施例１の芯材９が隣接する壁部２９，３１に対して設けられている。前記芯材９は、基部１７が本体３Ｃの下摩擦係合面１３Ｃに、立上部１９が壁部２９，３１の外面に埋設配置されている。
【００３９】
本実施例では、嵌合部３７を家具等の脚部に嵌合させ樹脂シート１Ｃを家具等に対して装着しておき、家具等を床面等に設置する。なお、本実施例においては、図９のように、例えば４つの脚部を有した家具等に適用され、４つの樹脂シート１Ｃが用いられている。各樹脂シート１Ｃは、芯材９が埋設配置されている壁部２９，３１が家具等に対して外側となるように配置されている。
【００４０】
本実施例では、上記実施例１と同様の作用効果を奏することができるのに加え、樹脂シート１Ｃが脚部に嵌合した状態で、壁部２９，３１，３３，３５の内面が粘着性によって家具等に密着すると共に摩擦係合するため、樹脂シート１Ｃを、家具等に対して確実に装着し保持することができる。
【００４１】
従って、樹脂シート１Ｃでは、家具等を載置する場合と異なり、図９の上下左右等のように、あらゆる方向への横移動を抑制することが可能となる。
【００４２】
この場合、各樹脂シート１Ｃが、芯材９が埋設配置されている壁部２９，３１が家具等に対して外側となるように配置されているため、必ず何れかの樹脂シート１Ｃの芯材９及び壁部２９，３１を作用させることができる。結果として、各樹脂シート１Ｃを、家具等の脚部に対して確実に保持させることができ、床面等に対して家具等が横移動するのを確実に抑制することができる。
【００４３】
図１０は、変形例に係り、芯材を示す斜視図である。なお、上記実施例と対応する構成部分には、同符号又は同符号にＤを付して説明する。
【００４４】
図１０のように、基部１７Ｄや立上部１９Ｄに突条のリブ２１を設けた芯材９Ｄを用いることも可能である。リブ２１は、芯材９Ｄの強度を高めると共に、樹脂シート１，１Ａ，１Ｃに埋設されることにより、芯材９Ｄの樹脂シート１，１Ａ，１Ｃに対する脱落を抑制することができる。リブ２１は、芯材９Ｄが金属で形成される場合、プレスにより形成することができる。
【００４５】
以上、本発明の実施例について説明したが、本発明はこれに限定されるものではなく、構成の要素に付随した各種の変更が可能である。例えば、本体３を、円形、楕円形等、種々の形状に形成することができる。また、壁部５，７，２３，２９，３１，３３，３５も湾曲形成することができる。壁部５，７，２３，２９，３１，３３，３５が湾曲形成されるときは、芯材９を合わせて湾曲形成することもできる。複数の芯材は、相互をはし渡す連結部により連結することもできる。
【図面の簡単な説明】
【００４６】
【図１】樹脂シートの斜視図である（実施例１）。
【図２】図１の矢印IIにおける側面図である。（実施例１）。
【図３】図１の矢印IIIにおける側面図である（実施例１）。
【図４】図１に示す樹脂シートの底面図である（実施例１）。
【図５】樹脂シートの斜視図である（実施例２）。
【図６】芯材の側面図である（実施例２）。
【図７】樹脂シートを示す斜視図である（実施例３）。
【図８】樹脂シートを示す斜視図である（実施例４）。
【図９】樹脂シートの使用状態を示す平面図である（実施例４）。
【図１０】芯材を示す斜視図である（変形例）。
【符号の説明】
【００４７】
１，１Ａ，１Ｂ，１Ｃ  樹脂シート
３，３Ａ，３Ｂ，３Ｃ  本体
５，７，２３，２９，３１，３３，３５  壁部
９，９Ａ，９Ｂ  芯材
１１，１１Ｃ，２５，２７  上摩擦係合面
１３，１３Ｂ，１３Ｃ  下摩擦係合面
１７，１７Ａ，１７Ｄ  基部
１９，１９Ｄ  立上部
【図１】
2006305038.tif 000003
【図２】
2006305038.tif 000004
【図３】
2006305038.tif 000005
【図４】
2006305038.tif 000006
【図５】
2006305038.tif 000007
【図６】
2006305038.tif 000008
【図７】
2006305038.tif 000009
【図８】
2006305038.tif 000010
【図９】
2006305038.tif 000011
【図１０】
2006305038.tif 000012